(57)【特許請求の範囲】
【請求項１】
冷却装置により鋼材に供給され、集合器で収集して循環使用される冷却水から、スケールを回収する方法であって、
前記集合器から前記冷却装置に至る循環経路に冷却水を流通させて循環使用する際に、前記集合器として、沈殿槽を有する集合器を、前記冷却装置から冷却水が供給される位置の下方に前記沈殿槽を配置して用い、前記沈殿槽で冷却水に含まれるスケールを沈殿させるとともに、その上澄みを循環させ、かつ、
前記沈殿槽内からスケールを冷却水とともにスケール回収装置に排出し、排出された冷却水から前記スケール回収装置でスケールを回収し、スケールが回収された冷却水を前記循環経路に戻し、
前記沈殿槽内からスケールを冷却水とともにスケール回収装置に排出する際に、前記冷却装置から冷却水が供給される位置の下方において、冷却水が流れ落ちるのに伴って発生する乱流によって攪拌されるスケールを冷却水とともにスケール回収装置に排出することを特徴とするスケールの回収方法。
【請求項２】
鋼材に冷却水を供給する冷却装置と、
鋼材に供給された冷却水を収集し、かつ、沈殿槽を有する集合器と、
前記集合器から前記冷却装置に至る循環経路と、
前記沈殿槽内から冷却水とともにスケールを排出する排出ポンプと、
前記排出ポンプにより排出された冷却水からスケールを回収し、スケールが回収された冷却水を前記循環経路に戻すスケール回収装置とを備え、
前記沈殿槽が、前記冷却装置から冷却水が供給される位置の下方に配置され、冷却水に含まれるスケールを沈殿させるとともに、その上澄みを循環させる沈殿槽であり、
前記排出ポンプが、前記冷却装置から冷却水が供給される位置の下方において、冷却水が流れ落ちるのに伴って発生する乱流によって攪拌されるスケールとともに冷却水を排出することを特徴とする鋼材の熱処理炉。
【発明の詳細な説明】
【技術分野】
【０００１】
本発明は、鋼材に供給され、収集して循環使用される冷却水から、スケールを回収する方法およびそれを用いた鋼材の熱処理炉に関する。さらに詳しくは、本発明は、スケールを回収する作業を長期間にわたって行うことなく熱処理炉を稼働でき、熱処理炉の稼働率を向上させることができるスケールの回収方法およびそれを用いた鋼材の熱処理炉に関する。
【背景技術】
【０００２】
熱処理において加熱された鋼材を冷却する際は、冷却装置により冷却水を供給して鋼材を直接冷却する方法が多用され、鋼材に供給されて冷却に使用された冷却水は、一般的に、収集して循環使用される。
【０００３】
図１は、従来の冷却水を循環使用する熱処理炉における冷却水フローを示す模式図である。同図に示す熱処理炉１は、鋼材を搬送する搬送装置４と、鋼材に冷却水を噴射して供給する冷却装置３とを備える。また、同図に示す熱処理炉１は、冷却装置３により供給された冷却水を収集して循環使用するため、冷却に使用された冷却水を収集する集合器３１と、集合器３１から供給される冷却水を貯蔵する第１循環用ピット３２と、第１循環用ピットと接続された第２循環用ピット３３と、冷却水の温度を調整する冷却塔３４とを備える。
【０００４】
集合器３１は、仕切り板３１ａにより沈殿槽３１ｃと循環口３１ｂに区切られており、冷却装置から冷却水が供給される位置の下方に沈殿槽３１ｃが配置される。冷却装置により鋼材に供給された冷却水の大部分は、集合器３１が有する沈殿槽３１ｃに流れ落ちて収集され、沈殿槽３１ｃの上澄みが仕切り板３１ａを超えて循環口３１ｂに溢れ出る。
【０００５】
また、同図に示す熱処理炉１は、集合器３１の循環口３１ｂに溢れ出た冷却水を第１循環用ピット３２に供給する配管と、第２循環用ピット３３に貯蔵された冷却水を冷却装置３に供給する水純ポンプ２１および配管と、第１循環用ピット３２に貯蔵された冷却水を冷却塔３４に供給する取水ポンプ２２および配管と、冷却塔３４で温度が調整された冷却水を第２循環用ピット３３に供給する戻しポンプ２３および配管とを備える。
【０００６】
このような熱処理炉では、冷却水は、集合器３１、第１循環用ピット３２、第２循環用ピット３３および冷却装置３の順で構成される循環経路を循環する（同図の白抜き矢印参照）。また、循環経路を循環する冷却水の一部は、第１循環用ピットに配置された取水ポンプ２２により冷却塔に供給され、温度が調整された後、循環経路である第２循環用ピットに戻される。（同図の黒塗り矢印参照）
【０００７】
このような熱処理炉で鋼材に熱処理を施す手順は下記のとおりである。
（１）熱処理炉１で鋼材を所定温度に加熱した後、加熱された鋼材は搬送装置４により熱処理炉から搬出される。
（２）搬出された鋼材は、冷却装置から冷却水が供給される位置を通過することにより、冷却水が供給され、所定の冷却条件で冷却される。
【０００８】
また、鋼材に供給された冷却水は、下記の手順により循環使用される。
（１）鋼材に供給された冷却水は、集合器３１が有する沈殿槽３１ｃへ流れ落ちて収集される。
（２）沈殿槽３１ｃに収集された冷却水は一定量を超えると、仕切り板３１ａを超えて循環口３１ｂに溢れ出て、配管により第１循環用ピット３２に供給されて貯蔵される。
（３）第１循環用ピット３２に貯蔵された冷却水は、第１循環用ピット３２に接続された第２循環用ピット３３に流入する。
（４）第１循環用ピット３２に貯蔵された冷却水の一部は、取水ポンプ２２により冷却塔に供給され、冷却塔で温度を調整された後、戻しポンプ２３により第２循環用ピット３３に戻される。
（５）第２循環用ピット３３に貯蔵された冷却水は、水純ポンプ２１により冷却装置に供給され、鋼材に供給される。
【０００９】
ここで、鋼材に熱処理を施す際には、熱処理炉１で加熱された鋼材の表面にはスケールが形成される。このような鋼材に冷却水を供給すると、表面に形成されたスケールは剥離し、冷却水とともに収集されて循環経路に流入し、循環経路上で沈殿して堆積する。
【００１０】
図２は、従来の冷却水を循環使用する熱処理炉にスケールが堆積した状態を示す模式図である。同図では堆積したスケールをハッチングにて示す。冷却水を循環使用すると、同図に示すように、集合器３１が有する沈殿槽３１ｃや、第１循環用ピット３２、第２循環用ピット３３、冷却塔３４の底部にスケールが沈殿して堆積する。
【００１１】
スケールが堆積した状態で、冷却水を循環使用して冷却装置３から鋼材に冷却水を供給すると、循環経路内に流入または堆積したスケールが、水鈍ポンプ２１が備えるフィルターや配管を詰まらせたり、循環経路に配置されるポンプや、図示しないが配管に設けられたバブルを故障させたりし、冷却装置への冷却水の供給が停止するおそれがある。熱処理炉を用いて鋼材に熱処理を施している際に、冷却水の供給が停止すると、加熱された鋼材を所定の冷却条件で冷却できないことから、加熱された鋼材は製品不良となる。熱処理炉は連続して鋼材を加熱して冷却するものが多用されるので、冷却水の供給が停止すると、熱処理炉で加熱している鋼材の全てが製品不良となる。
【００１２】
循環経路内に流入または堆積したスケールにより、鋼材への冷却水の供給が停止するのを防止するため、従来の冷却水を循環使用する熱処理炉は、堆積したスケールを回収する作業を定期的に行う必要があった。堆積したスケールを回収する作業は、熱処理炉の停機を伴うとともに、手作業に頼っていることから極めて煩雑であり、熱処理炉の稼働率を悪化させ、熱処理される鋼材を用いた製品の生産能力を低下させ、熱処理に要する原単位を悪化させる要因となる。このため、堆積したスケールを回収する作業は、十分な頻度で計画されていないのが現状である。
【００１３】
スケールを回収する方法に関し、従来から種々の提案がなされており、例えば特許文献１および２がある。特許文献１では下記の工程を有するスケールの回収方法が提案されている。
（１）スケールが付着した熱間鍛造加工用の金型を離型剤で洗浄し、スケールを金型から離脱させる工程と、
（２）スケールを含んだ離型剤を貯留槽に導入し、スケールを沈殿させる工程と、
（３）沈殿したスケールを、貯留槽に設けられたスクレイパ付搬送手段のスクレイパによって掻き出し、貯留槽の排出口まで上昇させる工程と、
（４）貯留槽の排出口から排出されたスケールを回収手段まで搬送する工程とを有する。
【００１４】
特許文献１に記載のスケールの回収方法では、スクレイパ付搬送手段により、貯留槽に沈殿したスケールを自動的に回収することができ、煩雑な作業が不要となるとしている。しかし、貯留槽での沈殿により離型剤からスケールを完全に除去することは困難であることから、貯留槽でスケールが回収された離型剤を収集するタンクやその経路にスケールが流入し、沈殿して堆積する。このため、貯留槽でスケールが回収された離型剤を収集するタンクやその経路に堆積するスケールを回収する作業が定期的に必要となる。
【００１５】
特許文献２では、熱間鍛造中に発生して金敷周辺に飛散するスケールを、効率よく回収する方法が提案されており、その手順は下記のとおりである。
（１）金敷が設置されたテーブルを鍛造した後に所定方向に一時移動させ、
（２）移動したテーブルに向けて水を噴射してテーブル上のスケールを洗い流し、
（３）洗い流されたスケールと水とを回収装置で受けて、スケールを水と分別して回収する。
【００１６】
特許文献２に記載のスケールの回収方法では、スケールと水とを分別して回収する回収装置として、一次沈殿槽と二次沈殿槽が用いられている。熱処理炉で鋼材に供給された冷却水に含まれるスケールは多量であるので、沈殿槽を用いて冷却水からスケールを回収する場合は、熱処理炉の停機を伴うスケールの回収作業を、沈殿槽の容量に応じて定期的に行う必要がある。
【００１７】
沈殿槽を用いることなく冷却水からスケールを回収する方式として、濾過装置により冷却水からスケールを回収する方式が考えられる。しかし、熱処理炉で鋼材に供給された冷却水に含まれるスケールは多量であるので、熱処理炉の停機させた状態で、スケールの回収やフィルターの取り替えを頻繁に行う必要がある。したがって、フィルターにより冷却水からスケールを回収する方式は、実用的とはいえない。
【先行技術文献】
【特許文献】
【００１８】
【特許文献１】特開２００７−３１９８８４号公報
【特許文献２】特開平５−９２２３１号公報
【発明の概要】
【発明が解決しようとする課題】
【００１９】
前述の通り、従来の冷却水を循環使用する熱処理炉では、熱処理炉の停機を伴うスケールの回収作業を定期的に行う必要があり、熱処理炉の稼働率が悪化する問題がある。また、特許文献１および２に提案されるスケールの回収方法でも、停機を伴うスケールの回収作業を定期的に行う必要があり、熱処理炉の稼働率が悪化する問題が発生する。
【００２０】
本発明は、このような状況に鑑みてなされたものであり、スケールを回収する作業を長期間にわたって行うことなく熱処理炉を稼働でき、熱処理炉の稼働率を向上させることができるスケールの回収方法およびそれを用いた鋼材の熱処理炉を提供することを目的とする。
【課題を解決するための手段】
【００２１】
本発明の要旨は、次の通りである：
【００２３】
（１）冷却装置により鋼材に供給され、集合器で収集して循環使用される冷却水から、スケールを回収する方法であって、前記集合器から前記冷却装置に至る循環経路に冷却水を流通させて循環使用する際に、前記集合器として、沈殿槽を有する集合器を、前記冷却装置から冷却水が供給される位置の下方に前記沈殿槽を配置して用い、前記沈殿槽で冷却水に含まれるスケールを沈殿させるとともに、その上澄みを循環させ、かつ、前記沈殿槽内からスケールを冷却水とともにスケール回収装置に排出し、排出された冷却水から前記スケール回収装置でスケールを回収し、スケールが回収された冷却水を前記循環経路に戻し、前記沈殿槽内からスケールを冷却水とともにスケール回収装置に排出する際に、前記冷却装置から冷却水が供給される位置の下方において、冷却水が流れ落ちるのに伴って発生する乱流によって攪拌されるスケールを冷却水とともにスケール回収装置に排出することを特徴とするスケールの回収方法。
【００２５】
（２）鋼材に冷却水を供給する冷却装置と、鋼材に供給された冷却水を収集し、かつ、沈殿槽を有する集合器と、前記集合器から前記冷却装置に至る循環経路と、前記沈殿槽内から冷却水とともにスケールを排出する排出ポンプと、前記排出ポンプにより排出された冷却水からスケールを回収し、スケールが回収された冷却水を前記循環経路に戻すスケール回収装置とを備え、前記沈殿槽が、前記冷却装置から冷却水が供給される位置の下方に配置され、冷却水に含まれるスケールを沈殿させるとともに、その上澄みを循環させる沈殿槽であり、前記排出ポンプが、前記冷却装置から冷却水が供給される位置の下方において、冷却水が流れ落ちるのに伴って発生する乱流によって攪拌されるスケールとともに冷却水を排出することを特徴とする鋼材の熱処理炉。
【発明の効果】
【００２６】
本発明のスケールの回収方法は下記の顕著な効果を有する。
（１）集合器の沈殿槽からスケールを冷却水とともに排出し、排出された冷却水からスケール回収装置によりスケールを回収し、スケールが回収された冷却水を循環経路に戻すことにより、単位時間当たりに循環経路に堆積するスケールの量を低減できる。
（２）このため、熱処理炉を停機させた状態でスケールを回収する作業を長期間にわたって行うことなく、熱処理炉を稼働できる。
【００２７】
本発明の鋼材の熱処理炉は、前述の本発明のスケールの回収方法を用いた鋼材の熱処理炉であることから、停機させた状態で循環経路内に堆積したスケールを回収する作業を長期間にわたって行うことなく、熱処理炉を稼働でき、その結果、熱処理炉の稼働率を向上させることができる。
【図面の簡単な説明】
【００２８】
【図１】従来の冷却水を循環使用する熱処理炉における冷却水フローを示す模式図である。
【図２】従来の冷却水を循環使用する熱処理炉にスケールが堆積した状態を示す模式図である。
【図３】本発明のスケールの回収方法および鋼材の熱処理炉による冷却水からスケールを回収するフローを説明する模式図である。
【発明を実施するための形態】
【００２９】
以下に、本発明のスケールの回収方法および鋼材の熱処理炉について、図面に基づいて説明する。
【００３０】
図３は、本発明のスケールの回収方法および鋼材の熱処理炉による冷却水からスケールを回収するフローを説明する模式図である。同図に示す熱処理炉１は、前記図１に示す熱処理炉の構成に加え、集合器３１が有する沈殿槽３１ｃからスケールを冷却水とともに排出する第１排出ポンプ１２および配管と、第１循環用ピット３２からスケールを冷却水とともに排出する第２排出ポンプ１３および配管と、第１排出ポンプ１２および第２排出ポンプ１３により排出された冷却水からスケールを回収し、スケールが回収された冷却水を第１循環用ピット３２に戻すスケール回収装置１４および配管と、スケール回収装置１４で回収されたスケールが排出されるスケールバック１５とを備える。
【００３１】
同図に示す熱処理炉では、冷却水は、集合器３１、第１循環用ピット３２、第２循環用ピット３３および冷却装置３の順で構成される循環経路を循環する（同図の白抜き矢印参照）。
【００３２】
本発明のスケールの回収方法は、冷却装置３により鋼材に供給され、収集して循環使用される冷却水から、スケールを回収する方法であって、循環経路からスケールを冷却水とともにスケール回収装置１４に排出し、排出された冷却水からスケール回収装置１４でスケールを回収し、スケールが回収された冷却水を循環経路に戻すことを特徴とする。
【００３３】
同図のハッチングを施した矢印で示すように、循環経路からスケールを冷却水とともにスケール回収装置１４に排出し、スケール回収装置１４でスケールが回収された冷却水を循環経路に戻すことにより、熱処理炉で冷却水を循環使用している状態で循環経路に流入したスケールを回収できる。このため、循環経路内に単位時間当たりに堆積するスケールの量を低減することができる。
【００３４】
冷却装置３により鋼材に供給された冷却水を収集する集合器３１として、一般的に用いられるホッパーや水槽を採用することができる。集合器３１として、沈殿槽３１ｃを有する集合器３１を、冷却装置３から冷却水が供給される位置の下方に沈殿槽３１ｃを配置して用いると、冷却装置３から供給された冷却水の大部分が沈殿槽に流れ落ち、循環経路に流入するスケールの大部分を沈殿槽３１ｃで早期に沈殿させることができる。これにより、循環経路を構成する配管がスケールで詰まったり、ポンプまたはバルブがスケールにより故障したりするのを低減できる。
【００３５】
沈殿槽３１ｃを有する集合器３１を用いて冷却水を収集する場合、沈殿槽３１ｃに沈殿して堆積したスケールを回収する作業が定期的に必要となるので、第１排出ポンプ１２により、沈殿槽３１ｃ内からスケールを冷却水とともにスケール回収装置１４に排出する。これにより、熱処理炉で冷却水を循環使用している状態でスケールを回収でき、沈殿槽３１ｃ内に単位時間当たりに堆積するスケールの量を低減することができる。
【００３６】
鋼材に供給された冷却水の大部分は、冷却装置３から冷却水が供給される位置で流れ落ちるので、冷却装置３から冷却水が供給される位置の下方において、沈殿槽３１ｃ内に流れ落ちる冷却水により乱流が発生する。この乱流が発生する冷却装置３から冷却水が供給される位置の下方において、沈殿槽３１ｃ内からスケールを冷却水とともにスケール回収装置に排出する。これにより、堆積したスケールの一部が乱流により攪拌され、冷却水とともにスケール回収装置に排出されるので、効率よくスケールを回収することができる。したがって、攪拌機等の装置を追加することなく、循環経路内に単位時間当たりに堆積するスケールの量をさらに低減することができる。
【００３７】
したがって、本発明のスケールの回収方法は、前記図３に示すように、冷却装置３により鋼材に供給された冷却水を収集する際に、沈殿槽３１ｃを有する集合器３１を、冷却装置３から冷却水が供給される位置の下方に沈殿槽３１ｃを配置して用い、循環経路からスケールを冷却水とともにスケール回収装置１４に排出する際に、冷却装置３から冷却水が供給される位置の下方において、沈殿槽３１ｃ内からスケールを冷却水とともにスケール回収装置に排出するのがより好ましい。
【００３８】
本発明のスケールの回収方法は、スケールを冷却水とともに排出する排出ポンプに、従来から用いられている種々のポンプを用いることができる。設置およびメンテナンスが容易であることから、スケールを冷却水とともに排出する排出ポンプとして、汎用の水中ポンプやサンドポンプを用いるのが好ましい。
【００３９】
循環経路からスケールを冷却水とともに排出する排出ポンプは、循環経路を構成する各装置において、スケールが単位時間当たりに堆積する量や、堆積を許容することができる量（堆積許容量）に応じて配置するのが好ましい。例えば、前記図３に示す鋼材の熱処理炉では、第１循環用ピット３２は堆積許容量に対して、単位時間当たりに堆積する量が多いことから、集合器３１の沈殿槽３１ｃに配置された第１排出ポンプ１２に加えて、第１循環用ピット３２に第２排出ポンプが配置される。
【００４０】
これにより、後述する実施例の本発明例２に示すように、熱処理炉で冷却水を循環使用している状態で循環経路に流入したスケールを回収できるとともに、熱処理炉を停機させた状態でスケールを回収する作業を長期間にわたって行うことなく、熱処理炉を稼働できる。
【００４１】
本発明のスケールの回収方法は、冷却水からスケールを回収するスケール回収装置に、マグネットセパレーターやサイクロンを採用することができる。マグネットセパレーターはスケール回収率がサイクロンより高いことから、本発明のスケールの回収方法はスケール回収装置にマグネットセパレーターを用いるのが好ましい。この他に濾過装置を用いてスケールを回収することも考えられる。しかし、濾過装置の場合はフィルターに目詰まりが生じ易いことから、本発明のスケールの回収方法はスケール回収装置に濾過装置を用いるのは不適切である。
【００４２】
本発明の鋼材の熱処理炉は、前述の本発明のスケールの回収方法を用いた鋼材の熱処理炉であり、冷却水を循環使用している状態で循環経路に流入したスケールを回収できる。このため、本発明の鋼材の熱処理炉は、循環経路内に単位時間当たりに堆積するスケールの量を低減することができ、停機させた状態で循環経路内に堆積したスケールを回収する作業を長期間にわたって行うことなく稼働することができ、その結果、熱処理炉の稼働率を向上させることができる。
【実施例】
【００４３】
熱処理の際に鋼材に供給された冷却水を収集して循環使用する試験を行い、本発明のスケールの回収方法および鋼材の熱処理炉を検証した。
【００４４】
［試験方法］
本発明例１では、前記図３に示す熱処理炉から、第２排出ポンプ１３およびそれに接続された配管を除いた熱処理炉を用いて鋼材に熱処理を施し、鋼材に供給される冷却水を循環使用した。本発明例２では、前記図３に示す熱処理炉を用いて鋼材に熱処理を施し、鋼材に供給される冷却水を循環使用した。
本試験での試験条件は下記の通りとした。
冷却装置      ：供給する冷却水の流量  ３０００ｌ／ｍｉｎ
スケール回収装置： マグネットセパレーター
（住友重機械ファインテック社製、型式：Ｋ−３６（Ａ−１型））
排出ポンプ    ：水中ポンプ（アイム電機社製、型式：ＫＭ−８５）、
スケールとともに排出する冷却水の流量  ３６０ｌ／ｍｉｎ
試験期間      ：８ヶ月
【００４５】
比較例では、前記図１に示す熱処理炉を用い、加熱された鋼材に供給された冷却水を収集して循環使用した。本発明例では、スケール回収装置で回収されてスケールバック１５に排出されたスケールの質量を測定した。本発明例および比較例ともに、沈殿槽３１ｃ、第１循環用ピット３２、第２循環用ピット３３または冷却塔３４のいずれかに許容量を超えるスケールが堆積した時および試験期間を経過した時に熱処理炉を停機し、沈殿槽３１ｃ、第１循環用ピット３２、第２循環用ピット３３および冷却塔３４からスケールを回収する作業を行い、回収されたスケールの質量を測定した。
【００４６】
表１に、スケール回収装置で回収されたスケール量（ｔｏｎ／月）、回収作業で回収されたスケール量（ｔｏｎ／月）およびその合計、並びにスケール回収装置での回収率（％）をそれぞれ示す。ここで、スケール回収装置での回収率（％）は、スケール回収装置で回収されたスケール量と回収作業で回収されたスケール量との合計に対し、スケール回収装置で回収されたスケール量が占める割合を百分率で表したものである。
【００４７】
【表１】
0005593918.tif 000002
【００４８】
［試験結果］
表１に示す結果から、比較例１では、循環経路からスケールを冷却水とともにスケール回収装置へ排出することなく、冷却水を循環使用し、停機した状態で行う回収作業で７．３４ｔｏｎのスケールが回収された。
【００４９】
一方、本発明例１では、集合器３１が有する沈殿槽３１ｃからスケールを冷却水とともにスケール回収装置へ排出しつつ冷却水を循環使用し、スケール回収装置で２．４２ｔｏｎ／月、停機した状態で行う回収作業で４．９２ｔｏｎ／月のスケールが回収され、スケール回収装置での回収率は３３％となった。また、本発明例２では、集合器３１が有する沈殿槽３１ｃおよび第１循環用ピット３２からスケールを冷却水とともにスケール回収装置へ排出しつつ冷却水を循環使用し、スケール回収装置で３．４５ｔｏｎ／月、停機した状態で行う回収作業で３．８９ｔｏｎ／月のスケールが回収され、スケール回収装置での回収率は４７％となった。
【００５０】
このように本発明例１および本発明例２では、比較例１と比べ、熱処理炉を停機させて行った回収作業で１ヶ月当たりに回収されるスケールの量が減少しているので、本発明のスケールの回収方法および鋼材の熱処理炉により、単位時間当たりに循環経路に堆積するスケールの量を低減できることが確認できた。
【００５１】
また、比較例１では、１ヶ月にわたり停機させた状態でスケールを回収する作業を行うことなく、熱処理炉を稼働できたのに対し、本発明例２では、２ヶ月にわたり停機させた状態でスケールを回収する作業を行うことなく、熱処理炉を稼働できた。このため、発明例２では、比較例１に比べ、熱処理炉の稼働率を３％向上させることができた。
【００５２】
これらから、本発明のスケールの回収方法および鋼材の熱処理炉は、循環経路からスケールを冷却水とともに排出し、排出された冷却水からスケール回収装置によりスケールを回収し、スケールが回収された冷却水を循環経路に戻すことにより、単位時間当たりに循環経路に堆積するスケールの量が低減でき、熱処理炉の稼働率を向上できることが明らかになった。
【産業上の利用可能性】
【００５３】
本発明のスケールの回収方法は下記の顕著な効果を有する。
（１）集合器の沈殿槽からスケールを冷却水とともに排出し、排出された冷却水からスケール回収装置によりスケールを回収し、スケールが回収された冷却水を循環経路に戻すことにより、単位時間当たりに循環経路に堆積するスケールの量を低減できる。
（２）このため、熱処理炉を停機させた状態でスケールを回収する作業を長期間にわたって行うことなく、熱処理炉を稼働できる。
【００５４】
本発明の鋼材の熱処理炉は、前述の本発明のスケールの回収方法を用いた鋼材の熱処理炉であることから、停機させた状態で循環経路内に堆積したスケールを回収する作業を長期間にわたって行うことなく、熱処理炉を稼働でき、その結果、熱処理炉の稼働率を向上させることができる。
【００５５】
したがって、本発明のスケールの回収方法およびそれを用いた鋼材の熱処理炉は、鋼材に熱処理を施す際に有効に利用することができる。
【符号の説明】
【００５６】
１：熱処理炉、  ２：鋼材、  ３：冷却装置、  ４：搬送装置、  ５：スケール、
６：冷却水、  １２：第１排出ポンプ、  １３：第２排出ポンプ、
１４：スケール回収装置、  １５：スケールバック、  ２１：水純ポンプ、
２２：取水ポンプ、  ２３：戻しポンプ、  ３１：集合器、  ３１ａ：仕切り板、
３１ｂ：循環口、  ３１ｃ：沈殿槽、  ３２：第１循環用ピット、
３３：第２循環用ピット、  ３４：冷却塔
【図１】
0005593918.tif 000003
【図２】
0005593918.tif 000004
【図３】
0005593918.tif 000005